(57)【要約】【課題】バランスを調整する部材が外観上において目立ちにくいものとできる照明器具を提供することにある。【解決手段】天井より垂下される線状部材１１と、この線状部材１１によって吊り下げられランプが取り付けられる本体１と、ランプを覆い本体に取り付けられるセード２と、を備えた照明器具において、本体１の天板部に形成された照明器具を吊り下げたときの重量中心部分を通過する長孔１ａと、本体１の内側に長孔１ａに沿って複数設けられた当接部１ｂと、長孔１ａを貫通する線状部材１１の下端部分に設けられた保持部３と、を有し、保持部３が、複数の当接部１ｂの一つに当接して本体１を吊り下げるものであることを特徴とする照明器具。【選択図】        図１
2004200085.tif 000002
【特許請求の範囲】
【請求項１】
天井より垂下される線状部材と、この線状部材によって吊り下げられランプが取り付けられる本体と、前記ランプを覆い本体に取り付けられるセードと、を備えた照明器具において、前記本体の天板部に形成された照明器具を吊り下げたときの重量中心部分を通過する長孔と、前記本体の内側に前記長孔に沿って複数設けられた当接部と、前記長孔を貫通する前記線状部材の下端部分に設けられた保持部と、を有し、前記保持部が、複数の前記当接部の一つに当接して前記本体を吊り下げるものであることを特徴とする照明器具。
【請求項２】
前記保持部は、略球状をなしたものであることを特徴とする請求項１記載の照明器具。
【請求項３】
前記当接部を凹レンズ状に窪んだものとし、凹レンズ状の中央部を前記長孔が通るとともに、この当接部を長孔に沿って連続的に設けたことを特徴とする請求項２記載の照明器具。
【請求項４】
前記長孔を前記重量中心部分で交差するように複数設けたことを特徴とする請求項１乃至３記載の照明器具。
【請求項５】
前記保持部を環状に形成し、この環の中を貫通して両端が前記本体に取り付けられる棒状部材を前記長孔の下方に長孔に略沿って設け、前記棒状部材に前記当接部を複数形成したことを特徴とする請求項１記載の照明器具。
【発明の詳細な説明】
【０００１】
【発明の属する技術分野】
本発明は、線状部材によって天井から吊り下げられる照明器具に関する。
【０００２】
【従来の技術】
この種の照明器具としては、特開平４−５１７１６号公報に開示されたものがある。図６は、これに開示された照明器具で、このものの本体背面から見た斜視図である。この照明器具は、天井部にネジ孔４０を有した本体１と、本体１に載置されるセードと、一端側が本体１のネジ孔４０にネジ止め固定され他端側が天井に取り付けられるコード吊具１０と、を備えて構成されている。ここでネジ孔４０は、図６の４０ａ〜４０ｈに示されるように本体１の略中央部から一直線状に片方向に等間隔で設けられており、基本的には、４０ｈと４０ｄでコード吊具１０をネジ３０にてネジ止め固定して照明器具を吊り下げれば、照明器具の水平バランスがとれるようになっている。
【０００３】
このものは、通常は、本体１のネジ孔４０ｈと４０ｄでコード吊具１０を固定するとともに、この本体１にセードを載せて吊り下げればよいものである。（図７に図示。この図で、２はセードを示す。）しかし、セード２を本体１に載せたとき、何らかの要因でＢ方向が浮き、Ａ方向が下がることがある。このような場合には、コード吊具１０を下がった方向のＡ方向側、すなわちネジ孔４０ｇ、４０ｃやネジ孔４０ｆ、４０ｂなどに移動しながらセード２の水平方向のバランスがとれる箇所を見つけ、その位置でコード吊具１０をネジ孔にネジ止めすることにより、セード２の水平方向のバランスがとれるものとなっている。（図８に図示。）
また、このもののＣ方向が浮きＤ方向が下がったときは、セード２は、そのままで本体１を９０℃回転させ、前記したものと同様に下がった方向側にコード吊具１０を移動させることにより、セード２の水平方向のバランスがとれるものとなっている。よって、本体１をセード２に対して適宜回転させることにより、セード２がどの方向に傾いても、その傾きを調整できるものとなる。
【０００４】
次に、このものとは別の照明器具として既に市販されているものを説明する。図９は、このものの斜視図、図１０は、このものの要部を示す正面図である。このものは、天井より垂下される線状部材１１と、この線状部材１１によって吊り下げられる棒状部材１２と、棒状部材１２の下端に取り付けられる本体１と、この本体１に取り付けられるランプを略覆うセード２と、を備えて構成されている。
【０００５】
線状部材１１は、一端側が天井に固定され、他端側が棒状部材１２に取り付けられたもので、ここでは長い鎖を使用している。棒状部材１２は、上端が線状部材１１の下端を引掛けるために逆Ｕ状に形成され、さらに逆Ｕ状をなした上側の湾曲部分には、波型をなした当接部１２ｍが複数設けられている。本体１は、内部にソケット２１やランプが収納され、セード２は中央部分に開口を有し、この開口の周縁が本体１に取り付けられている。
【０００６】
このものは、通常は、線状部材１１を複数ある当接部１２ｍのうち、中央の当接部１２ｍに引掛けることによりセード２の水平バランスがとれるようになっているものである。そして、セード２が何らかの要因で傾いたとき、例えば、セード２がガラスでできていて、ガラスの仕上りにセードの左右で厚みが違っているので傾いているような場合は、この傾きに合わせて、線状部材１１の下端を複数設けられた当接部１２ｍに適宜移動させることにより、セード２の水平方向のバランスを調整することができるものとなる。
【０００７】
【特許文献１】
特開平４−５１７１６号公報
【０００８】
【発明が解決しようとする課題】
ところが特開平４−５１７１６号公報に開示された照明器具では、コード吊具１０を移動させてセード２の水平方向のバランスをとる際に、都度、コード吊具１０をネジ孔４０にネジ止めしてバランスを確認する必要があり、ネジ３０の着脱作業がわずらわしいものになっていた。さらに、この着脱作業を行なう際は、都度、本体１を天井面から取り外して行なう必要があるものとなっていた。
【０００９】
また、すでに市販されている照明器具では、セード２の水平方向のバランスをとる際に、ネジ３０の着脱作業が不用であり、本体１を取り外すことなくバランスを調整できるものである。しかし、前記した複数の当接部１２ｍは、外観上、あまり大きくすることができないものであり、このためセード２の傾きを細かく調整するために当接部を多数設けることや、大きく傾いているセード２のバランスを取るために当接部１２ｍの間隔を広げること、などを行なうのは、難しいものとなっていた。さらに、線状部材１１をワイヤなどで形成したときは、複数の当接部１２ｍが線状部材１１（ワイヤ）よりもあきらかに大きなものになってしまうので、外観上これが好まれない場合があった。また、このことは、棒状部材１２の棒状部をなくし、複数の当接部１２ｍを本体１に直接設けたとしても、例えば、本体１の高さが目線の位置よりも低い場合は、当接部１２ｍが目に入り同様に、外観上、好まれないことがあった。
【００１０】
本発明は、上記事由に鑑みてなしたもので、その目的とするところは、バランスを調整する部材が外観上において目立ちにくいものとできる照明器具を提供することにある。
【００１１】
【課題を解決するための手段】
請求項１に係る発明の照明器具は、天井より垂下される線状部材と、この線状部材によって吊り下げられランプが取り付けられる本体と、前記ランプを覆い本体に取り付けられるセードと、を備えた照明器具において、前記本体の天板部に形成された照明器具を吊り下げたときの重量中心部分を通過する長孔と、前記本体の内側に前記長孔に沿って複数設けられた当接部と、前記長孔を貫通する前記線状部材の下端部分に設けられた保持部と、を有し、前記保持部が、複数の前記当接部の一つに当接して前記本体を吊り下げるものであることを特徴とする。
【００１２】
請求項２に係る発明の照明器具は、請求項１において、前記保持部は、略球状をなしたものであることを特徴とする。
【００１３】
請求項３に係る発明の照明器具は、請求項２において、前記当接部を凹レンズ状に窪んだものとし、凹レンズ状の中央部を前記長孔が通るとともに、この当接部を長孔に沿って連続的に設けたことを特徴とする。
【００１４】
請求項４に係る発明の照明器具は、請求項１乃至３のいずれかにおいて、前記長孔を前記重量中心部分で交差するように複数設けたことを特徴とする。
【００１５】
請求項５に係る発明の照明器具は、請求項１において、前記保持部を環状に形成し、この環の中を貫通して両端が前記本体に取り付けられる棒状部材を前記長孔の下方に長孔に略沿って設け、前記棒状部材に前記当接部を複数形成したことを特徴とする。
【００１６】
【発明の実施の形態】
（第１の実施の形態）
本発明の第１の実施の形態を図１、図２を用いて説明する。図１は、照明器具の断面図、図２は要部斜視図である。この照明器具は、天井より垂下される線状部材１１と、この線状部材１１によって吊り下げられランプが取り付けられる本体１と、ランプを覆い本体に取り付けられるセード２と、ホルダナット２０と、を備えて構成されている。
【００１７】
線状部材１１は、鎖やワイヤやコードなどの部材から適宜選択されるもので、ここではワイヤを用いている。そして、線状部材１１は、一端側が天井に固定され、他端側が本体１に取り付けられており、この照明器具を吊り下げている。
【００１８】
本体１は、平板を打抜いて、絞り、折曲などの加工を施して略円板状に形成されたもの、あるいは、金属を略円板状に鋳造したものであり、ここでは本体１の直径は、約７０ｍｍとなっている。そして、本体１の周縁には、セード２に当接する環状の当接片１ｋが下方に向かって形成されている。さらに、本体１の下面側には、円筒状をなし、その外周面にホルダナット２０が螺合する外ネジを有したソケット２１が取り付けられている。なお、ソケット２１は、電球が螺入できるように、その内周面に内ネジも備えている。
【００１９】
セード２は、ガラスや合成樹脂などの透光性を有した材料で形成され、略球状をなしており、上部と下部に開口を有している。セード２の上部の開口周縁の上面には前記した本体１の当接片１ｋが当接し、下面にはホルダナット２０の上部が当接し、この間でセード２が狭持されている。また、下部の開口２ｘは、ランプを交換できる大きさを備えたものとなっている。なお、ここでは、セードは、ガラス製であり、その厚さは、約５．０ｍｍで、その幅は約４００ｍｍ、高さは約２５０ｍｍとなっている。
【００２０】
ホルダナット２０は、上部が広がった筒状のものであり、ソケット２１の外ネジと螺合され締め付けることにより本体１の当接片１ｋとの間でセード２を狭持するものである。
【００２１】
ここで重要なことは、本体１の天板部に照明器具を吊り下げたときの重量中心部分を通過する長孔１ａを形成し、この長孔１ａに沿った当接部１ｂを本体１の内側に複数設けたことである。さらに、この長孔１ａに線状部材１１を貫通させ、貫通した線状部材１１に保持部３を設けたことである。そして、保持部３が、複数の当接部１ｂの一つに当接して本体１を吊り下げることにより照明器具が吊り下げられるものとしたことである。これを詳しく述べると、保持部３は、線状部材１１の下端部分に設けられた略球状をなしたものであり、例えば、金属材料により形成されている。なお、ここでは、長孔は約４５ｍｍ程度で、保持部３は直径約５ｍｍ程度の球としている。
【００２２】
当接部１ｂは、凹レンズ状、詳しくは、略球状をなした保持部３の表面、又は、それよりも大きい球状の表面と、およそ同形状に窪んだものであり、凹レンズ状の中央部を長孔１ａが通っている。さらに、この当接部１ｂは、長孔１ａに沿って連続的に設けられており、各々の当接部１ｂに略球面状をなした保持部３が当接するようになっている。ここでは、当接部１ｂの直径は約５ｍｍ、でその中心が４．０ｍｍ間隔で連続して個並んでいる。そして、通常は、中心の当接部１ｂで、セード２の水平バランスが保たれるようになっている。
【００２３】
次に、この照明器具の取り付け方法（セード２のバランスの調整方法）を説明する。このものは、線状部材１１で本体１を吊り下げておき、この本体１にセードの上部の開口周縁を当接させ、その下からホルダナット２０をソケット２１の外ネジに螺合させる。そして、ホルダナット２０を締め付けることにより、ホルダナット２０が上昇してホルダナット２０の上端がセード２に当接され、さらにセード２を上昇させるので、やがてはホルダナット２０の上端と本体１の当接片１ｋとの間でセード２が狭持される。その後、ランプをソケット２１に挿入することにより取り付けが完了する。
【００２４】
この状態でセード２の水平方向のバランスを調整する。通常は、保持部３を複数ある当接部１ｂのうち、中央の当接部１ｂに位置させることによりセード２の水平バランスがとれるようになっている。（ここでいう重量中心部分とは、中央の当接部１ｂ付近のことである。）しかし、セード２が何らかの要因で傾いたとき、例えば、製造上においてセード２のガラスの仕上りに前後で厚みが違っている場合（例えば奥側が４．５ｍｍで手前側が５ｍｍの場合）は、セード２は手前側に傾くことになる。従って、保持部３を手前にある当接部１ｂに移動させる。このとき保持部３は、球状をなしており、当接部１ｂも略凹レンズ状に窪んでいるうえに、凹レンズ状の窪みが離れずに形成されているので、照明器具を吊り下げたままでも、保持部３は、比較的スムーズに移動するようになっている。従って、照明器具を吊り下げたまま線状部材１１を動かし、保持部３を手前にある当接部１ｂに移動させればよい。仮に、移動がスムーズに行かない場合でも、照明器具を少し持ち上げればよい。そして、セード２が水平となるところの当接部１ｂを適宜選択し、この当接部１ｂに保持部３を当接させればよい。このものでは、およそ６°のセードの傾きを調整できるものとなる。なお、このときに、セード２が右方向を下に傾いているときは、ホルダナット２０を緩め、セード２を９０°左方向に回転し、手前側に傾かせて前記したものと同様の操作を行なえばよい。
【００２５】
この実施の形態によると、本体１の天板部に形成された照明器具を吊り下げたときの重量中心部分を通過する長孔１ａと、本体１の内側に長孔１ａに沿って複数設けられた当接部１ｂと、長孔１ａを貫通する線状部材１１の下端部分に設けられた保持部３と、を有し、保持部３が、複数の当接部１ｂの一つに当接して本体１を吊り下げるものとしたことにより、本体１の上方にセード２の傾きを調整するための部材がないので、バランスを調整する部材が外観上において目立ちにくいものとできる。
【００２６】
また、保持部３は、略球状をなしたものであることにより、当接部１ｂに係止されることが少なくなるので、保持部３が移動しやすいものとなる。
【００２７】
また、当接部１ｂを凹レンズ状に窪んだものとし、凹レンズ状の中央部を長孔１ａが通るとともに、この当接部１ｂを長孔１ａに沿って連続的に設けたことにより、照明器具を吊り下げたままでも、略球状をなした保持部３の移動が当接部１ｂを摺るように移動するので、照明器具を吊り下げたままでのセード２の傾きの調整をさらに容易に行なえるものとなる。
【００２８】
なお、この実施の形態においては、当接部１ｂの周縁が隣り合う当接部１ｂの周縁と重なりあっているが、重ならずに離れたものでもよい。この場合は、長孔１ａの短手方向の幅を適宜、広げて、保持部３がスムーズに移動するようにすればよい。
【００２９】
次に、第１の実施の形態の第１の応用例を説明する。図３は、セードの一部を切り欠いた要部斜視図である。このものは、第１の実施の形態の長孔１ａを重量中心部分で交差するように十字状に追加したものである。勿論、追加した長孔１ａにも前記したものと同じ当接部１ｂが設けられている。その他の同一の構成部材には、同一符号を付すことにより説明を省略する。このものは、セード２の前後の傾きだけでなく左右の傾きも調整できるものとなる。なお、重量中心部分で交差する長孔１ａをさらに増やしたものでもよく、この場合は、設けた長孔１ａの数が増えるほどに、セード２の傾きを調整できる方向も増えるものとなり、前記したようなホルダナット２０を緩めてセード２を傾き調整のできる方向に回転させるという手間が、少なくできるものとなる。
【００３０】
次に、第１の実施の形態の第２の応用例を説明する。図４は、セードの一部を切り欠いた要部斜視図である。このものは、第１の実施の形態の当接部１ｂの形状を変えたものである。図において当接部１ｂは、長孔１ａの両側に略対向して略凸状のリブを長孔１ａに直交して設けたものである。そして、この略凸状のリブは、長孔１ａに沿って略等間隔に設けられている。その他の同一の構成部材には、同一符号を付すことにより説明を省略する。このものは、比較的簡単に当接部１ｂが形成できるものとなる。なお、第２の応用例において、当接部１ｂは、保持部３が当接部１ｂのみに当接するもの、あるいは、保持部３が本体１と当接部１ｂとの両方に当接するもの、どちらのものであってもよい。
【００３１】
なお、第１の実施の形態において、保持部３は、一つの当接部１ｂに当接するものとしているが、これは少なくとも一つであればよく、保持部３の形状によっては、複数の当接部１ｂに当接させてもかまわない。
【００３２】
（第２の実施の形態）
本発明の第２の実施の形態を図５を用いて説明する。図５は、この照明器具のセードの一部を切り欠いた要部斜視図である。このものは第１の実施の形態の保持部３と当接部１ｂの形状を変えたものである。図において、保持部３を環状に形成し、この環の中を貫通して両端が本体１に取り付けられる棒状部材４を長孔１ａの下方に長孔１ａに略沿って設け、棒状部材４に当接部１ｂを複数形成している。詳しくは、保持部３は、線状部材１１の先端を環状にし、圧着部材で結んだものである。また、棒状部材４は、長孔１ａの長手方向を跨ぐようにして本体１に取り付けられたものであり、およそ長孔１ａの真下に設けられている。そして、当接部１ｂは、先端が丸い棒状をなしたもので数ミリほど棒状部材４より突出したリブとりブの間に設けられている。このものにおいては、保持部３を容易に形成できるものとなる。
【００３３】
【発明の効果】
請求項１記載の発明にあっては、天井より垂下される線状部材と、この線状部材によって吊り下げられランプが取り付けられる本体と、前記ランプを覆い本体に取り付けられるセードと、を備えた照明器具において、前記本体の天板部に形成された照明器具を吊り下げたときの重量中心部分を通過する長孔と、前記本体の内側に前記長孔に沿って複数設けられた当接部と、前記長孔を貫通する前記線状部材の下端部分に設けられた保持部と、を有し、前記保持部が、複数の前記当接部の一つに当接して前記本体を吊り下げるものであることにより、本体の上方にセードの傾きを調整するための部材がないので、バランスを調整する部材が外観上において目立ちにくいものとできる。
【００３４】
請求項２記載の発明にあっては、前記保持部は、略球状をなしたものであることにより、請求項１に記載した効果を奏するうえに、保持部が移動しやすいものとなる。
【００３５】
請求項３記載の発明にあっては、前記当接部を凹レンズ状に窪んだものとし、凹レンズ状の中央部を前記長孔が通るとともに、この当接部を長孔に沿って連続的に設けたことにより、請求項２に記載した効果を奏するうえに、照明器具を吊り下げたままでも、保持部の移動が当接部を摺るように移動するので、セードの傾きの調整をさらに容易に行なえるものとなる。
【００３６】
請求項４記載の発明にあっては、前記長孔を前記重量中心部分で交差するように複数設けたことにより、請求項１乃至３のいずれかに記載した効果を奏するうえに、設けた長孔の数が増えるほどに、セードの傾きを調整できる方向も増えるものとなり、さらに調整しやすいものとなる。
【００３７】
請求項５記載の発明にあっては、前記保持部を環状に形成し、この環の中を貫通して両端が前記本体に取り付けられる棒状部材を前記長孔の下方に長孔に略沿って設け、前記棒状部材に前記当接部を複数形成したことにより、請求項１に記載した効果を奏するうえに、保持部を容易に形成できるものとなる。
【図面の簡単な説明】
【図１】本発明の第１の実施の形態に係る照明器具の断面図である。
【図２】同上の照明器具のセードの一部を切り欠いた要部斜視図である。
【図３】同上の照明器具の第１の応用例を示す図で、セードの一部を切り欠いた要部斜視図である。
【図４】同上の照明器具の第２の応用例を示す図で、セードの一部を切り欠いた要部斜視図である。
【図５】本発明の第２の実施の形態に係る照明器具のセードの一部を切り欠いた要部斜視図である。
【図６】第１の従来例に係る照明器具の本体背面から見た斜視図である。
【図７】同上の照明器具の断面図で、コード吊具が中央にあるときの図である。
【図８】同上の照明器具の断面図で、コード吊具をずらしたときの図である。
【図９】第２の従来例に係る照明器具の斜視図である。
【図１０】同上の照明器具の、要部を示す正面図である。
【符号の説明】
１      本体
１ａ    長孔
１ｂ    当接部
１ｋ    当接片
２      セード
３      保持部
４      棒状部材
１１    線状部材
２０    ホルダナット
２１    ソケット
【図１】
2004200085.tif 000003
【図２】
2004200085.tif 000004
【図３】
2004200085.tif 000005
【図４】
2004200085.tif 000006
【図５】
2004200085.tif 000007
【図６】
2004200085.tif 000008
【図７】
2004200085.tif 000009
【図８】
2004200085.tif 000010
【図９】
2004200085.tif 000011
【図１０】
2004200085.tif 000012